【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
掘削中、ビットに対してシャンクを回転させる間に、シャンクとビットとの結合体の各部分に、捩り力が選択的に加わり、又は捩り力が加わらないように、シャンクをドリルビットに結合する方法であって、  シャンクパッセージ領域を有するシャンクパッセージを有するシャンクを提供すること、  ビットパッセージ領域を有するビットパッセージを有するビットを提供すること、  前記シャンクパッセージ領域及び前記ビットパッセージ領域よりも小さい保持部材領域を有する保持部材を提供すること、  前記シャンクが凹部又は凸部を有し、前記ビットが相補的凸部又は凹部を有し、前記ビットと前記シャンクとが係合した際に、前記凸部と前記凹部とが係合するようにした相補的凹凸構造を提供すること、  前記シャンクを前記ビットに係合させ、かつ前記相補的凹凸構造を係合させ、前記相補的凹凸構造が係合したときには、前記シャンクパッセージ領域と前記ビットパッセージ領域とが整合すること、及び  前記シャンクと前記ビットとの整合されたパッセージへと保持部材を挿入し、それにより、互いに係合しながら、前記シャンクが前記ビットに対して回転するとき、前記凹凸構造がすべての捩り力を受容し、保持部材には捩り力がかからないこと、  を包含する方法。
【請求項２】
加わる力をドリルビット集成体の別々の部分に分離（separate）するドリルビット集成体を作り出すために、シャンクをドリルビットに結合する方法であって、  全て、互いに独立な部材であり、かつ前記シャンクの一部であるところの、シャンク引き抜き荷重アタッチメント部材、シャンク捩り荷重部材、及びシャンク衝撃力部材を提供すること、  全て、互いに独立な部材であり、かつ、前記ビットの一部であるところの、ビット引き抜き荷重アタッチメント部材、ビット捩り荷重部材、及びビット衝撃力部材を提供すること、  前記シャンクを前記ビットに係合させること、  前記ビット集成体が引き抜かれているとき、引き抜き力は前記引き抜き荷重アタッチメント部材にかかり、前記捩り荷重部材や前記衝撃力部材にはかからないように、前記シャンク引き抜き荷重アタッチメント部材を前記ビット引き抜き荷重アタッチメント部材と係合させること、  前記ビット集成体が回転しているときに、回転力が前記捩り荷重部材にかかり、前記引き抜き荷重アタッチメント部材や前記衝撃力部材にはかからないように、前記シャンク捩り荷重部材とビット捩り荷重部材とを係合させること、及び  前記ビット集成体が衝撃を与えられているとき、前記衝撃力が前記衝撃力部材にかかり、前記引き抜き荷重アタッチメント部材や捩り荷重部材にはかからないように、前記シャンク衝撃力部材を前記ビット衝撃力部材と係合させること、  を包含する方法。
【請求項３】
加わる力をドリルビット集成体の別々の部分に分離（separate）するドリルビット集成体を作り出すために、シャンクをドリルビットに結合する方法であって、  シャンクパッセージ領域を有するシャンクパッセージ、シャンク衝撃力部材、及びシャンク相補的突部又は凹部構造、を有するシャンクを提供することであって、前記シャンク衝撃力部材及びシャンク相補的突部又は凹部構造は、互いに独立している、  ビットパッセージ領域を有するビットパッセージ、ビット衝撃力部材、及びビット相補的突部又は凹部構造、を有するビットを提供することであって、前記ビット衝撃力部材及びビット相補的突部又は凹部構造は、互いに独立している、  前記シャンクパッセージ領域及びビットパッセージ領域よりも小さい保持部材領域を有する保持部材を提供すること、  前記シャンクと前記ビットとを係合させること、  前記ビット集成体が回転するとき、回転力は、前記シャンク相補的突部又は凹部構造及び前記ビット相補的突部又は凹部構造に加わり、前記保持部材、前記シャンク衝撃力部材、又はビット衝撃力部材には加わらないように、前記シャンク相補的突部又は凹部構造と前記ビット相補的突部又は凹部構造とを係合させること、  前記ビット集成体が引き抜かれているとき、引き抜き力は、前記シャンクパッセージ、ビットパッセージ、及び保持部材に加わり、シャンク衝撃力部材、ビット衝撃力部材、シャンク相補的突部又は凹部構造、又はビット相補的突部又は凹部構造には加わらないように、前記シャンクと前記ビットの互いに整合されたパッセージ内へと前記保持部材を挿入すること、及び  前記ビット集成体が衝撃力によって影響を受けているとき、前記衝撃力は、シャンク衝撃力部材及びビット衝撃力部材に加わり、前記シャンク及びビットの該当する相補的突部又は凹部、及び前記保持部材には加わらないように、前記シャンク衝撃力部材とビット衝撃力部材とを係合させること、  を包含する方法。
【請求項４】
前記相補的凹凸部構造は、衝撃方向に対して垂直な凸部表面と、衝撃方向に対して垂直な凹部表面とを有しており、前記凸部表面は前記凹部表面と接触しない、ことを特徴とする請求項１に記載の方法。
【請求項５】
前記相補的凹凸構造における前記凹部が、損耗パッドを有している、ことを特徴とする請求項１に記載の方法。
【請求項６】
前記相補的凹凸構造における前記凸部が、損耗パッドを有している、ことを特徴とする請求項１に記載の方法。
【請求項７】
前記シャンクはシャンク衝撃力表面を有し、前記ビットはビット衝撃力表面を有しており、前記ビットと前記シャンクとが掘削中に係合している間、前記シャンク衝撃力表面は前記ビット衝撃力表面と接触する、ことを特徴とする請求項１に記載の方法。
【請求項８】
前記ビットがセンタスタッドを有しており、前記センタスタッドは損耗パッドを有している、ことを特徴とする請求項１又は３に記載の方法。
【請求項９】
前記シャンクが開口部を有しており、前記シャンク開口部は損耗パッドを有している、ことを特徴とする請求項１又は３に記載の方法。
【請求項１０】
前記保持部材が中空である、ことを特徴とする請求項１又は３に記載の方法。
【請求項１１】
前記保持部材が円柱で中空であり、かつ内部にネジが切られている、ことを特徴とする請求項１又は３に記載の方法。
【請求項１２】
前記保持部材が可撓性を有する、ことを特徴とする請求項１又は３に記載の方法。
【請求項１３】
前記保持部材が、衝撃エネルギー遮断器を支持するための溝を含む、ことを特徴とする請求項１又は３に記載の方法。
【請求項１４】
前記ビットパッセージ領域が、前記シャンクパッセージ領域よりも小さい、ことを特徴とする請求項１又は３に記載の方法。
【請求項１５】
前記シャンクパッセージ領域が、前記ビットパッセージ領域よりも小さい、ことを特徴とする請求項１又は３に記載の方法。
【請求項１６】
掘削中に前記シャンクが前記ビットと係合している間、前記保持部材は、前記ビットパッセージの内側表面と接触しない、ことを特徴とする請求項１又は３に記載の方法。
【請求項１７】
掘削中に前記シャンクが前記ビットと係合している間、前記保持部材は、前記シャンクパッセージの内側表面と接触しない、ことを特徴とする請求項１又は３に記載の方法。
【請求項１８】
前記保持部材を前記シャンクパッセージ内に保持するために前記シャンクを包囲するバンドを提供することを含む、ことを特徴とする請求項１又は３に記載の方法。
【請求項１９】
前記保持部材が頂部平坦表面を有する、ことを特徴とする請求項１８に記載の方法。
【請求項２０】
ドリルビット集成体であって、  シャンクパッセージ領域を有するシャンクパッセージを有するシャンクであって、前記シャンクパッセージはスカート部分内にあり、前記シャンクスカート部分は開口部を有し、前記シャンクパッセージは、前記シャンクスカート部分の外側表面に始まり、かつ前記シャンク開口部のシャンクスカート部分の内側表面に終わる、  センタスタッドを有するビットであって、前記センタスタッドは、前記シャンクと前記ビットとが組み付けられたとき、前記センタスタッドが前記シャンクスカート部分の開口部に適合することができるように、ある領域を有しており、前記センタスタッドはビットパッセージを有し、前記シャンクと前記ビットとが組み付けられたとき、前記ビットパッセージと前記シャンクパッセージとが整合する、  前記シャンクパッセージ領域及び前記ビットパッセージ領域よりも小さい保持部材領域を有する保持部材であって、前記保持部材は、前記シャンクと前記ビットとが組み付けられるとき、前記シャンクパッセージへと挿入されてビットパッセージへと延出され、また、前記保持部材は、前記保持部材が除去されるとき、前記ビットと前記シャンクとが分離できるように、取り外し可能とされている、  前記シャンクの底部の凹部、及び  前記凹部と係合するところの、前記ビットの前記受容部の凸部であって、前記凸部と前記凹部との係合は、前記シャンクと前記ビットとが一緒に回転することを許容し、それにより前記凸部と前記凹部とが回転力を伝達する、  又は、  前記シャンクの底部の凸部；及び  前記凸部と係合するところの、前記ビットの前記受容部の凹部であって、前記凸部と前記凹部との係合は、前記シャンクと前記ビットとが一緒に回転することを許容し、それにより前記凸部と前記凹部とが回転力を伝達する、  を包含するドリルビット集成体。
【請求項２１】
ドリルビット集成体であって、  シャンクパッセージ領域を有するシャンクパッセージを有するシャンクであって、前記シャンクパッセージはシャンクスカート部分内に存在し、前記シャンクスカート部分は開口部を有し、前記シャンクパッセージは前記シャンクスカート部分の外側表面に始まり、前記開口部内にあって、シャンクスカート部分の内側表面に終わり、  センタスタッドを有するビットであって、前記センタスタッドは、前記シャンクと前記ビットとが組み付けられたとき、前記シャンクスカート部分の前記開口部内へと前記センタスタッドが適合することができる領域を有し、前記センタスタッドは、前記ビットパッセージ領域を有するビットを有し、前記シャンクと前記ビットとが組み付けられている間、前記ビットパッセージと前記シャンクパッセージとが整合される、  前記シャンクパッセージ領域及びビットパッセージ領域よりも小さい保持部材領域を有する保持部材であって、前記保持部材は、前記シャンクと前記ビットとが組み付けられているとき、前記シャンクパッセージへと挿入されて、前記ビットパッセージまで延出され、前記保持部材は、前記保持部材が取り外されるとき、前記ビットと前記シャンクとが分離できるように、取り外し可能とされている、  前記シャンクの底部にあるシャンク相補的突部又は凹部構造、  前記ビットにあって、対応する前記シャンク相補的突部又は凹部構造に挿入される、ビット相補的突部又は凹部構造であって、前記シャンク又は前記ビットの前記突部は、衝撃の方向に対して垂直な突部表面を有し、前記シャンク又は前記ビットの前記凹部は、衝撃の方向に対して垂直な凹部表面を有し、前記ビット又は前記シャンクの垂直表面は、前記シャンク又は前記ビットの垂直表面とは接触せず、前記突部と前記凹部との係合は前記シャンクと前記ビットとが一体的に回転するとを許容し、それにより、前記突部と前記凹部とが回転力を伝達する、  前記シャンクにあって、前記シャンク相補的突部又は凹部構造とは独立した、シャンク衝撃力表面、及び  前記ビットにあって、前記ビット相補的突部又は凹部構造とは独立した、ビット衝撃力表面であって、前記ビット衝撃力表面は、前記ドリルビット集成体が衝撃力によって影響を受けているとき、前記シャンク衝撃力表面と接触し、前記衝撃力は、前記シャンク衝撃力表面及び前記ビット衝撃力表面に加わり、前記シャンク及び前記ビットの対応する相補的突部又は凹部構造、及び前記保持部材には加わらない、  を包含するドリルビット集成体。
【請求項２２】
前記ビットパッセージ領域が、前記シャンクパッセージ領域よりも小さい、ことを特徴とする請求項２０又は２１に記載のドリルビット集成体。
【請求項２３】
前記シャンクパッセージ領域が、前記ビットパッセージ領域よりも小さいことを特徴とする請求項２０又は２１に記載のドリルビット集成体。
【請求項２４】
前記凸部が衝撃方向に対して垂直な凸部表面を有しており、前記凹部が衝撃方向に対して垂直な凹部表面を有しており、前記凸部表面は前記凹部表面と接触しない、ことを特徴とする請求項２０に記載のドリルビット集成体。
【請求項２５】
前記凹部が損耗パッドを有している、ことを特徴とする請求項２０又は２１に記載のドリルビット集成体。
【請求項２６】
前記凸部が損耗パッドを有している、ことを特徴とする請求項２０又は２１に記載のドリルビット集成体。
【請求項２７】
前記シャンクがシャンク衝撃力表面を有しており、前記ビットがビット衝撃力表面を有しており、前記ビットと前記シャンクとが掘削中に係合するとき、前記シャンク衝撃力表面は前記ビット衝撃力表面と接触する、ことを特徴とする請求項２０に記載のドリルビット集成体。
【請求項２８】
前記センタスタッドが損耗バンドを有する、ことを特徴とする請求項２０又は２１に記載のドリルビット集成体。
【請求項２９】
前記開口部が損耗バンドを有する、ことを特徴とする請求項２０又は２１に記載のドリルビット集成体。
【請求項３０】
前記保持部材が中空である、ことを特徴とする請求項２０又は２１に記載のドリルビット集成体。
【請求項３１】
前記保持部材が円柱で中空であり、かつ内部にネジが切られている、ことを特徴とする請求項２０又は２１に記載のドリルビット集成体。
【請求項３２】
前記保持部材が可撓性を有する、ことを特徴とする請求項２０又は２１に記載のドリルビット集成体。
【請求項３３】
前記保持部材が衝撃エネルギー遮断器を支持するための溝を含む、ことを特徴とする請求項２０又は２１に記載のドリルビット集成体。
【請求項３４】
前記保持部材が、前記保持部材を前記シャンクパッセージ内に保持するために、前記保持部材がシャンクパッセージ内へと挿入されるときに、前記シャンクを包囲するバンドを含む、ことを特徴とする請求項２０又は２１に記載のドリルビット集成体。
【請求項３５】
前記保持部材が頂部平坦表面を有する、ことを特徴とする請求項３４に記載のドリルビット集成体。
【請求項３６】
ビットに対してシャンクを回転させる間、掘削中に前記シャンクに対して下方への軸方向衝撃力を加える間、及び前記ビットに結合された前記シャンクを上方へと持ち上げるために、前記シャンクに対して引き抜き力を加える間に、前記シャンクと前記ビットとの結合体の保持部材に、せん断力が選択的に加わり、又はせん断力が加わらないように、前記シャンクを前記ドリルビットに結合する方法であって、  シャンクパッセージを有するシャンクを提供すること、  ビットパッセージを有するビットを提供すること、  保持部材を提供すること、  前記シャンクが凹部又は凸部を有し、前記ビットが相補的凸部又は凹部を有し、前記ビットと前記シャンクとが係合した際に、前記凸部と前記凹部とが係合するようにした相補的凹凸構造を提供すること、  前記シャンクを前記ビットと係合させ、前記相補的凹凸構造を係合させること、及び  前記シャンクと前記ビットの互いに整合されたパッセージ内へと前記保持部材を挿入すること、  を包含し、  そうすることで、前記ビットパッセージ、前記シャンクパッセージ、前記保持部材、前記シャンク、及びビットは、  掘削中に、下方への衝撃軸力が前記シャンクへと加えられて、前記ビットへと伝達されるときには、前記保持部材に対してはせん断力が加わらないように、  前記シャンクを前記ビットに対して回転させるときには、前記保持部材に対してはせん断力が加わらないように、及び  前記シャンクと結合された前記ビットを上方に持ち上げるときには、前記保持部材に対してせん断力が加わるように、配置並びに結合される、ことを特徴とする方法。
【請求項３７】
前記保持部材が断面長方形の領域を有しており、前記シャンクパッセージが断面長方形の領域を有している、ことを特徴とする請求項３６又は３に記載の方法。
【請求項３８】
前記保持部材が頂部平坦表面を有する、ことを特徴とする請求項３６に記載の方法。
【請求項３９】
前記保持部材をシャンクパッセージ内に保持するためにシャンクを包囲するバンドを提供することを含む、ことを特徴とする請求項３６に記載の方法。
【請求項４０】
前記ビットパッセージが溝形状をなす、ことを特徴とする請求項３６又は３に記載の方法。
【請求項４１】
ドリルビット集成体であって、  シャンクパッセージ領域を有するシャンクパッセージを有するシャンクであって、前記シャンクパッセージはスカート部分内にあり、前記シャンクスカート部分は開口部を有し、前記シャンクパッセージは、前記シャンクスカート部分の外側表面に始まり、かつ前記シャンク開口部のシャンクスカート部分の内側表面に終わる、  センタスタッドを有するビットであって、前記センタスタッドは、前記シャンクと前記ビットとが組み付けられたとき、前記センタスタッドが前記シャンクスカート部分の開口部に適合することができるように、ある領域を有しており、前記センタスタッドは、溝形状をなすビットパッセージ領域を有するビットパッセージを有し、前記シャンクと前記ビットとが組み付けられたとき、前記ビットパッセージと前記シャンクパッセージとが整合する、  頂部平坦表面を有する保持部材であって、前記保持部材は、前記シャンクと前記ビットとが組み付けられるとき、前記シャンクパッセージ内にあって、前記ビットパッセージへと延出され、また、前記保持部材は、前記保持部材が取り外されるとき、前記ビットと前記シャンクとが分離できるように、取り外し可能とされている、  前記シャンクの底部の凸部、及び  前記凹部と係合するところの、前記ビットの前記受容部の凸部であって、前記凸部と前記凹部との係合は、前記シャンクと前記ビットとが一緒に回転することを許容し、それにより前記凸部と前記凹部とが回転力を伝達する、  を包含するドリルビット集成体。
【請求項４２】
前記シャンクパッセージ内にあって、前記保持部材を前記シャンクパッセージ内に保持するために、前記シャンク保持部材を包囲するバンドを前記シャンク上に含む、ことを特徴とする請求項４１に記載のドリルビット集成体。
【請求項４３】
ドリルビット集成体を形成するために、シャンクとドリルビットを結合させることに用いられるドリルビットであって、  ビット、  前記ビット上に形成されて、前記シャンクからの衝撃エネルギーを受容するビット衝撃力表面、  前記シャンクへの挿入のために前記ビットから延出され、かつ前記保持部材を受容するためのビットパッセージ有するセンタスタッド、及び  前記シャンクの凸部を受容するための前記ビットの凹部、  を包含するドリルビット。
【請求項４４】
前記凹部が衝撃方向に対して垂直な凹部表面を有する、ことを特徴とする請求項４３に記載のドリルビット。
【請求項４５】
前記凹部が損耗パッドを有する、ことを特徴とする請求項４３に記載のドリルビット。
【請求項４６】
前記センタスタッドが損耗バンドを有する、ことを特徴とする請求項４３に記載のドリルビット。
【請求項４７】
ドリルビット集成体を形成するために、シャンクとドリルビットを結合させることに用いられるドリルビットであって、  ビット、  前記ビット上に形成されて、前記シャンクからの衝撃エネルギーを受容するビット衝撃力表面、  前記シャンクへの挿入のために前記ビットから延出され、かつ前記保持部材を受容するためのビットパッセージ有するセンタスタッド、及び  前記シャンクの凹部を受容するための前記ビットの凸部、  を包含し、  前記凹部は衝撃方向に対して垂直な凹部表面を有し、  前記凹部が損耗パッドを有し、又は前記センタスタッドが損耗バンドを有する、  ことを特徴とするドリルビット。
【請求項４８】
前記それぞれの相補的凸部又は凹部構造は、衝撃方向に対して垂直な凸部表面と、衝撃方向に対して垂直な凹部表面とを有しており、前記凸部表面は前記凹部表面と接触しない、ことを特徴とする請求項３に記載の方法。
【請求項４９】
前記それぞれの相補的凸部又は凹部構造における前記凹部が、損耗パッドを有している、ことを特徴とする請求項３に記載の方法。
【請求項５０】
前記相補的凸部又は凹部構造における前記凸部が、損耗パッドを有している、ことを特徴とする請求項３に記載の方法。
【請求項５１】
前記ビットと前記シャンクとが掘削中に係合している間、前記シャンク衝撃力表面は前記ビット衝撃力表面と接触する、ことを特徴とする請求項３に記載の方法。